(57)【要約】【課題】雨水のかご面への伝わりや積もった雪のかご下への落下を未然に回避することにある。【解決手段】側面外装パネル３と上面外装パネル１０とによりかご室２およびかご室上部の用品を覆うが、特に上面外装パネル１０を下降傾斜するとともに、かご室の両側面中央部に取り付けられた立枠４ａ，４ｂにそって排出管１３を配置する。そして、上面外装パネル１０の下降傾斜端と排出管１３との間に溝などの導水手段１２を形成し、上面外装パネルに降った雨水または積もった雪の解けた水を排出管に導き、かご下方に落とし、かご下方に吊持される貯水タンク１４に貯留するかご装置である。【選択図】　　図１
2004115251.tif 000002
【特許請求の範囲】
【請求項１】
かご室およびかご室上部の用品を側方から覆う側面外装パネルの上端部近傍内側に下降傾斜された上面外装パネルと、
前記かご室の両側面中央部に取り付け立枠にそって配置された排出管と、
前記上面外装パネルの下降傾斜端部から前記排出管に設けられ、当該上面外装パネルに降った雨水または積もった雪の解けた水などを前記排出管に導くための導水手段と
を備えたことを特徴とする屋外用エレベータのかご装置。
【請求項２】
請求項１に記載の屋外用エレベータのかご装置において、
前記かご室の下部に吊持され、前記排出管を通ってくる水を貯留する貯水手段を設けたことを特徴とする屋外用エレベータのかご装置。
【請求項３】
請求項２に記載の屋外用エレベータのかご装置において、
前記貯水手段に常時は閉状態に設定される排水弁と、前記貯水手段に貯留される所定レベル以上の水位を検知する水位検知手段と、少なくとも前記かご装置が最下階に停止し、かつ、前記水位検知手段が所定レベル以上の水位を検知したとき、前記排水弁を開制御する手段とを備えたことを特徴とする屋外用エレベータのかご装置。
【請求項４】
請求項１ないし請求項３の何れか一項に記載の屋外用エレベータのかご装置において、
前記かご装置のかごドア上部に当該かごドア幅以上の長さをもつ雨水受け樋を取付けたことを特徴とする屋外用エレベータのかご装置。
【請求項５】
請求項１ないし請求項４の何れか一項に記載の屋外用エレベータのかご装置において、
前記上面外装パネルの下面部またはその近傍に通電により発熱する加温手段を設け、前記上面外装パネルに積もった雪を解かして前記導水手段に流し込むことを特徴とする屋外用エレベータのかご装置。
【発明の詳細な説明】
【０００１】
【発明の属する技術分野】
本発明は、屋外に設置される展望用エレベータを含む各種の屋外用エレベータのかご装置に関する。
【０００２】
【従来の技術】
近年、外部の景色を展望可能な屋外展望用エレベータや既存店舗或いは新規店舗の屋外に併設する屋外用エレベータ等の設置が増加傾向にある。
【０００３】
このような屋外用エレベータでは、エレベータかご室上部にドア開閉機構、室外空調機、送風ダクト等の用品が設置され、これらエレベータかご室およびかご上部の用品は、かご室よりも上部に伸びるかご側面外装パネルとかご上面外装パネルとによって覆われている。
【０００４】
また、屋外展望用エレベータのかご装置においては、かご室胴部に展望用ガラスが設けられ、この展望用ガラスの上下部に多面体形状の外装パネルで覆うことにより、かご室上部に設置されるかご上部用品を内装する構成となっている。
【０００５】
【発明が解決しようとする課題】
従って、以上のような屋外展望用エレベータを含む各種の屋外用エレベータでは、降雨時、雨水がかご上面外装パネルからかご側面外装パネルを伝わり、或いは屋根外装パネルから展望用ガラスを伝わることから、エレベータかごを汚したり、また最終的には雨水等がエレベータかごの下方に落ちるので、通行人に不快な気持ちを与えるなどの問題がある。
【０００６】
さらに、降雪時、雪がかご上面外装パネルの上部に積もり、それが停車時や発車時の振動または風などにより、かご上面外装パネルから雪のかたまりが落下し、屋外エレベータ周辺を通行する通行人に怪我、転倒などの影響を与える恐れがある。
【０００７】
さらに、雨水や雪のかたまりがかご側面外装パネルを伝わって落ちてくると、展望用ガラスが曇ったりし、乗客が外部の景色を見ることが難しいか、不快に感じる問題がある。
【０００８】
本発明は上記事情に鑑みてなされたもので、雨水や降り積もった雪がかご側面外装パネルを伝わらずにかご下方に排出可能とし、よってエレベータ下方の通行人や乗客に不快な状況その他の影響を与えない屋外用エレベータのかご装置を提供することを目的とする。
【０００９】
【課題を解決するための手段】
（１）　上記課題を解決するために、本発明に係る雨水、積もった雪を排出する屋外エレベータのかご装置は、かご室およびかご室上部の用品を側方から覆う側面外装パネルの上端部近傍内側に下降傾斜された上面外装パネルと、前記かご室の両側面中央部に取り付け立枠にそって配置された排出管と、前記上面外装パネルの下降傾斜端部から前記排出管に設けられ、当該上面外装パネルに降った雨水または積もった雪の解けた水を前記排出管に導くための導水手段とを設けた構成である。
【００１０】
本発明は以上のような構成とすることにより、雨水または積もった雪の解けた水が下降傾斜する上面外装パネルにそって導水手段に流れ込むので、導水手段を通して容易に排出管に導き、側面外装パネルを伝わらずにかご装置の下方に導くことができ、ひいては側面外装パネルを汚さず、また展望用ガラスを曇らすような問題を無くすことができる。
【００１１】
なお、以上のような構成に新たに、かご室の下部に排出管を通ってくる水を貯留する貯水手段を吊持するように設けることにより、かご装置の下方に落下させずに貯水手段に貯留でき、必要な時に排水することが可能となる。
【００１２】
さらに、以上のような構成にさらに、貯水手段に常時は閉状態に設定される排水弁と、前記貯水手段に貯留される所定レベル以上の水位を検知する水位検知手段と、少なくとも前記かご装置が最下階に停止し、かつ、前記水位検知手段が所定レベル以上の水位を検知したとき、前記排水弁を開制御する手段とを設ければ、かご装置が最下階に停止し、かつ、貯水手段に所定量の水が貯留されたときに排水弁を自動的に開けて排水することができる。
【００１３】
（２）　また、以上のようなかご装置の構成に対し、さらにかご装置のかごドア上部に当該かごドア幅以上の長さをもつ雨水受け樋を取付けると、かごドア側に吹き付けてくる雨水などを受け止め、乗客の乗降に影響の無いところに落とすことができ、乗客に不快感を与えることを少なく出来る。
【００１４】
また、上面外装パネルの下面部またはその近傍に通電により発熱する加温手段を設け、上面外装パネルに積もった雪を解かして導水手段に流し込むようにすれば、かご上面外装パネルに積もった雪を解かし、導水手段を介して排出管に導くことが可能となる。
【００１５】
【発明の実施の形態】
以下、本発明の一実施の形態について図１ないし図３を参照して説明する。
【００１６】
図１は本発明に係わる屋外用エレベータのかご装置の一部を切り欠いた外観斜視図、図２はかご装置の側面図、図３はかご装置のかごドアを除去した正面図である。
【００１７】
このかご装置は、正面側にかごドア１が取付けられたかご本体となるかご室２が設けられ、このかごドア１を除くかご室２の四方を囲み、かつ、かご室２よりも上方に伸びるようにかご側面外装パネル３が設けられている。このかご側面外装パネル３のうち、かご室２の両側面側に対応するかご側面外装パネル３のほぼ中央部の縦方向にそれぞれ立枠４ａ，４ｂが取付けられている。
【００１８】
これら立枠４ａ，４ｂの上端部および下端部には両立枠４ａ，４ｂを前後側から挟み込んで支持するようにそれぞれ一対の上梁５および下梁６が当該両立枠４ａ−４ｂ間に架設されている。
【００１９】
なお、これら立枠４ａ，４ｂの上下端部にはかご上ガイド７およびかご下ガイド８が取付けられ、これらガイド７，８がそれぞれガイドレール９に沿ってかご装置を昇降する構成となっている。
【００２０】
ところで、本発明に係わるかご装置は、かご室２の上部に設置される例えばドア開閉機構、室外空調機、送風ダクト等のかご上部用品をかご側面外装パネル３とかご上面外装パネル１０とにより覆うような構成するが、特にかご上面外装パネル１０としては、正面側および背後側に配置されるかご側面外装パネル３の上端よりやや低い位置がパネル取付部１１とし、これら取付部１１から両立枠４ａ，４ｂを結ぶライン近傍に向けて下降傾斜し、この両下降傾斜端部が溝１２に接続されている。
【００２１】
この溝１２は、図３に示すように両立枠４ａ，４ｂを結ぶライン方向に延在され、各立枠４ａ，４ｂに沿ってかご室外側下方に取付けられている排出管１３，１３に接続されている。従って、上空から降ってくる雨水は、かご上面外装パネル１０の下降傾斜にそって溝１２に流れ込み、この溝１２内を流れて排出管１３，１３の上端に達し、これら排出管１３，１３を通ってかご室２の下方に落下する。
【００２２】
なお、溝１２は、その一方端が立枠４ａ側に沿って設けられる排出管１３に接続され、他方端が図示左側の立枠４ｂ近傍で塞き止められている構成であってもよい。つまり、かご上面外装パネル１０に落ちる雨水が立枠４ａ側に沿う排出管１３だけを利用してかご室２の下方に落とす構成である。
【００２３】
これら排出管１３，１３の下端部は、かご室２下部の下梁６などに吊持される貯水タンク１４に導入されている。この貯水タンク１４には常時は閉状態にある電磁弁等の排水弁１５および所定レベル以上のタンク内の水位を検知するフロートを含む水位検知器１６が設けられている。これら排水弁１５および水位検知器１６の入出力端はエレベータ制御盤等（図示せず）などに接続されている。
【００２４】
なお、図１に示す符号１７は展望用ガラス、図３に示す１８は非常止め装置である。
【００２５】
次に、以上のようなかご装置の動作について説明する。
【００２６】
降雨時、雨水がかご上面外装パネル１０に落ちると、かご上面外装パネル１０がほぼＶ状に下降傾斜されているので、かご上面外装パネル１０の傾斜にそって流れて中央側に集められ、溝１２に流れ込む。従って、かご上面外装パネル１０に落ちた雨水は全てかご上面外装パネル１０の下降傾斜にそって溝１２に流れ込むので、従来のようにかご側面外装パネル３を伝わってかご装置下方に落下することがなくなり、かご装置の外側を汚したり、かご装置上部に貯まった雨水等が急にかご装置下方に落下することがなくなり、通行人に悪影響を与えることが少なくなる。
【００２７】
また、溝１２が両立枠４ａ，４ｂを結ぶライン方向に配置されていることから、かご上面外装パネル１０から溝１２に流れ込んだ雨水が溝１２を介して立枠４ａ，４ｂ方向に向かって流れ、これら立枠４ａ，４ｂに沿う各排出管１３，１３を経由してかご室下部に流すので、かご側面外装パネル３を伝わることがなく、確実にかご装置の下方に導くことができる。
【００２８】
この排出管１３，１３の下端部は、かご室２下部の貯水タンク１４に接続されているので、かご上面外装パネル１０に落ちた雨水の全部が貯水タンク１４に導いて貯水することができる。
【００２９】
さらに、かご上面外装パネル１０に降った雨水を溝１２を経由させて排出管１３に流すことにより、展望用ガラス１７が曇ることがなく、乗客が外部の景色を楽しみながら利用することができる。
【００３０】
次に、貯水タンク１４に貯留された雨水の処理について図４を参照して説明する。
【００３１】
エレベータ制御盤等は、所要の運転プログラムに基づいてかご装置を昇降運転しているが、このとき周期的にかご装置が停止しているか否かを判断し（Ｓ１）、かご装置が停止していると判断されたとき、次に移行し、かご装置が最下階に停止しているか否かを判断する（Ｓ２）。かご装置が最下階に停止していると判断されたとき、貯水タンク１４に取付けられている水位検知器１６の出力信号からタンク内の水位が所定レベルを越えているか否かを判断し（Ｓ３）、所定水位を越えていると判断されたときには弁開制御信号を排水弁１５に送信し、排水弁１５を開弁し（Ｓ４）、タンク内に貯留されている水を排水する。
【００３２】
なお、各ステップＳ１〜Ｓ３において、かご装置が走行中であったり、最下階以外の階に停止していたり、或いは貯水タンク１４に水がそれほど貯留されていないなどのとき、排水弁１５が閉じた状態となっているので（Ｓ５）、貯水タンク１４の水が例えばかご装置の走行中に落ちたり、かご装置が高い階にあるときに急に落ちてきたり、さらに僅かの雨水が貯水タンク１４に貯まる度に落ちてくるようなことが無くなり、通行人に雨の影響を与えない状態を作り出すことができる。
【００３３】
（他の実施の形態）
（１）　図５は本発明に係わる屋外用エレベータのかご装置の他の実施の形態を示す一部切り欠き側面図である。
【００３４】
上記実施の形態では、かご上面外装パネル１０が前面・背面方向にほぼＶ字状に形成したが、例えば図５に示すように逆Ｖ字状である屋根型形状に形成してもよい。
【００３５】
このようにかご上面外装パネル１０が屋根型形状の場合、かご上面外装パネル１０の下端部側にそれぞれ溝２１を形成し、これら溝２１の両端部または片端部と排出管１３，１３の上端部との間に溝２１に流れ込む雨水を排出管１３，１３に導くための配管、溝等の導水部２２が配置されている。
【００３６】
このような構成とすることにより、かご上面外装パネル１０に降った雨水は前記溝２１−導水部２２を経由して排出管１２，１２に導き、貯水タンク１４に導くことができる。よって、上記実施の形態と同様の作用効果を奏することができる。
【００３７】
（２）　図６および図７は本発明に係わる屋外用エレベータのかご装置の他の実施の形態を説明する図である。かご装置全体の構成は図１ないし図３と同様であるので、ここでは省略し、当該図１ないし図３の説明に譲る。
【００３８】
以下、特に異なる部分について説明する。
【００３９】
すなわち、上記実施の形態では、かご上面外装パネル１０に降る雨水の排出例について説明したが、例えばかご上面外装パネル１０以外の部分、例えばかご室２正面の側面外装パネル３に吹き付ける雨水については、例えばかごドア１の比較的近い上部に断面Ｌ字状の雨水受け樋３１を取り付け、かご側面外装パネル３から伝わって流れてくる雨水を雨水受け樋３１により受け取るような構成である。
【００４０】
この雨水受け樋３１は、かごドア６相当幅以上の長さに形成され、かご室２の前面側に吹き付けてくる雨水が雨水受け樋２１を通って樋両端から落とすようにし、かごドア１から出入りする乗客などが雨の影響を受けないようにする。
【００４１】
（３）　図８は本発明に係わる屋外用エレベータのかご装置のさらに他の実施の形態を示す一部切り欠き側面図である。
【００４２】
この実施の形態は、かご上面外装パネル１０下面側に電気発熱体４１が添設され、当該電気発熱体４１への通電によってかご上面外装パネル１０を加温し、かご上面外装パネル１０に降り積もった雪を解かすことにより、図１ないし図３に示す溝１２を通して排出管１３に流す込む構成である。
【００４３】
従って、以上のような構成とすることにより、かご上面外装パネル１０上面に所定以上の雪が積もることがなくなり、停車時や発車時の振動または風などにより、かご装置のかご上面外装パネル１０から雪のかたまりが落下し、屋外エレベータ周辺を通行する通行人に怪我、転倒などを負わせる心配がなくなる。
【００４４】
さらに、かご上面外装パネル１０に降り積もった雪を電気発熱体４１で解かして排出管１３に流す込むことにより、積雪時でも展望用ガラス１７が曇ることがなく、乗客が外部の景色を楽しむことができる。
【００４５】
なお、電気発熱体４１への通電は、降雪時に手動により通電するとか、或いはある周期ごと、例えば午前および午後の予め決められた時刻に一回ずつ所定時間の間自動的に通電し、かご上面外装パネル１０に積もった雪を解かすようにしてもよい。
【００４６】
（４）　図９は本発明に係わる屋外用エレベータのかご装置のさらに他の実施形態を示す一部切り欠き側面図である。
【００４７】
このかご装置は、かご側面外装パネル３の内側にかご装置の装飾目的で電球等の複数の照明灯４２を設置する場合があるが、この照明灯４２をかご上面外装パネル１０の近傍に設置することにより、この照明灯４２の発熱を利用してかご上面外装パネル１０を温め、図８と同様にかご上面外装パネル１０降り積もった雪を解かし、図１ないし図５に示す実施の形態と同様に溝１２、２１，２２を通して排出管１３に流し込むようにしてもよい。
【００４８】
このような構成においても、図８と同様な効果を奏することができる。
【００４９】
（５）　その他、かご側面外装パネル３、かご上面外装パネル１０、溝１２（２１，２２）、排出管１３の表面に撥水加工を施せば、雨水や降った雪が貯まらずに容易に排水できるとともに、汚れ難くすることができる。
【００５０】
また、通常、かご側面外装パネル３、かご上面外装パネル１０、溝１２（２１，２２）、排出管１３等に鉄板が使用することが多いが、例えば合成樹脂などの材料を用いれば、耐寿命の面で優れたものとすることができる。
【００５１】
さらに、展望用ガラス１７に複層ガラスを用いれば、複層ガラスの中間ある空気の層により、外気温度とかご室内の温度との断熱を図ることができ、展望用ガラス１７の曇りを無くすことができる。
【００５２】
なお、本願発明は、上記実施の形態に限定されるものでなく、その要旨を逸脱しない範囲で種々変形して実施できる。例えばかご室を２つ設けたダブルデッキエレベータにも同様に適用できることは言うまでもない。
【００５３】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００５４】
【発明の効果】
以上説明したように本発明によれば、雨水や積もった雪がかご側面外装パネルを伝わらずにかご下方に確実に排出でき、よってかご汚れがなくなり、また雨水や積もった雪のかご下への落下を未然に回避でき、かご装置下方の通行人に影響を与えることがなく、また乗客に快適な環境を確保できる屋外用エレベータのかご装置を提供できる。
【図面の簡単な説明】
【図１】本発明に係る屋外用エレベータのかご装置の一実施の形態を示す一部切り欠き外観斜視図。
【図２】図１に示す屋外用エレベータのかご装置の側面図。
【図３】図１に示す屋外用エレベータからかごドアを除去した概略正面図。
【図４】雨水や積もった雪の解けた水を排出する処理例を説明するフローチャート。
【図５】本発明に係る屋外用エレベータのかご装置の他の実施形態を示す側面図。
【図６】本発明に係る屋外用エレベータのかご装置のさらに他の実施形態を示す一部分の正面図。
【図７】図６に示すかご装置の一部分の側面図。
【図８】同じく本発明に係る屋外用エレベータのかご装置の他の実施形態を示す側面断面図。
【図９】同じく本発明に係る屋外用エレベータのかご装置のさらに他の実施形態を示す側面断面図。
【符号の説明】
１…かごドア
２…かご室
３…かご側面外装パネル
４ａ，４ｂ…立枠
９…ガイドレール
１０…かご上面外装パネル
１２…溝
１３…排出管
１４…貯水タンク
１５…排水弁
１６…水位検知器
１７…展望用ガラス
２１…溝
２２…導水部
３１…雨水受け樋
４１…電気発熱体
４２…照明灯
【図１】
2004115251.tif 000003
【図２】
2004115251.tif 000004
【図３】
2004115251.tif 000005
【図４】
2004115251.tif 000006
【図５】
2004115251.tif 000007
【図６】
2004115251.tif 000008
【図７】
2004115251.tif 000009
【図８】
2004115251.tif 000010
【図９】
2004115251.tif 000011